(57)【特許請求の範囲】
【請求項１】
上下に位置させた内部空間(２６，２２)の少なくとも一部を囲むハウジング(１２)と、
第１回動軸(２４)の周りに回動可能な状態に支持されている少なくとも１つの前面(１８)と、
横臥面を前述の下側内部空間(２２)に向いている状態から外側に向けて揺動自在に構成されている折畳みベッド(２３)と、
ハウジング上部(１９)と、
前述の第１回動軸(２４)に対して平行な第２回動軸(３１)に配置されているヒンジによる連結部(５６)であって、このヒンジ連結部(５６)は前記ハウジング上部(１９)が前記前面(１８)に向け前記第２回動軸(３１)周りに揺動できて筆記台を形成するようにした家具であって、
前記ハウジング上部(１９)は、前述の前面(１８)の一部を形成する第１脚(２７)と、前記ハウジング(１２)の略奥行きに沿って延び前記上下内部空間(２６，２２)の少なくとも一部をカバーする上面を形成する第２脚(２８)とを有するＬ字形をなし、
上記のＬ字形ハウジング上部(１９)は当接部にもたれかかる開放状態に揺動自在であり、
上記ハウジング(１２)は、上記下方内部空間(２２)への少なくとも１つの開口部を備えた中間壁(２１)を有するもの。
【請求項２】
第２回動軸(３１)がハウジング(１２)の上端部に対して下方にオフセットされ、Ｌ字形ハウジング上部(１９)が約１８０°回動可能であることを特徴とする請求項１に記載の家具。
【請求項３】
基板(１７)からの第２回動軸(３１)の高さとハウジング上部(１９)の第１脚部(２７)の長さとが互いに調整されることによって、第２回動軸(３１)の基板(１７)からの高さは少なくとも弧を描くようにして開状態になる前面(１８)の長さより大きく、弧を描くようにして開状態になったときハウジング上部(１９)の第２脚部(２８)が６５ｃｍから８０ｃｍの間の高さ、好ましくは７２ｃｍに設定され、好ましくは本質的に水平に設けられることを特徴とする請求項１又は請求項２に記載の家具。
【請求項４】
ハウジング上部(１９)を保持するヒンジ連結(５６)は、側壁(１３，１４)の孔(５９)にピン(５８)を介して係合するピンプレートとして設計され、ハウジング上部(１９)の側面上のプレート(５７)に連結されることを特徴とする請求項１、請求項２、請求項３のいずれかに記載の家具。
【請求項５】
ハウジング上部(１９)の側面に隣接する壁セクションに防塵密封が形成されていることを特徴とする請求項１、請求項２、請求項３、請求項４のいずれかに記載の家具。
【請求項６】
側面(１３，１４)と相互作用する左右の横支柱に第１回動軸(２４)が設けられることを特徴とする請求項１、請求項２、請求項３、請求項４、請求項５のいずれかに記載の家具。
【請求項７】
前面(１８)の内側には弧を描くようにして完全に開状態になり得る二つの部分又は複数の部分を持つ構造の横臥面を形成するマットレス(４１)があり、マットレス(４１)の横臥面の第１及び第２セクション(３８，３９)がヒンジ連結としてのダブルヒンジ(６４)によって連結され、このダブルヒンジ(６４)は横臥面の第１セクション(３８)の上に第１回動軸(４７)を有し、横臥面の第２セクション(３９)の上に第２回動軸(４８)を有するフランジを有し、横臥面の第１セクション(３８)に対向するＵ字形の溝(４９)を有し、弧を描くようにして開状態になる場合、この溝にボルト(５１)が止め具として係合し、特に第２セクション(３９)がダブルヒンジ(６４)を介して横臥面の第１セクション(３８)に対して平行な位置に移動され得ることを特徴とする請求項１、請求項２、請求項３、請求項４、請求項５、請求項６のいずれかに記載の家具。
【請求項８】
前面(１８)は解除可能なロック手段(６１)によってハウジング(１２)に対して閉状態に設置され、このロック手段(６１)は反対方向への押圧力が付与された場合に前面(１８)に設けられるＵ字形のスプリング要素(６３)がパチンとはまるようなＬ字形の付属品(６２)を有し、ロック手段（６１）を作動させるためのへこみ部分(６６)が設けられるのが好ましく、その結果ロック手段(６１)の解除と弧を描くようにして前面(１８)を開状態にすることとを同時に行うことが可能になることを特徴とする請求項１、請求項２、請求項３、請求項４、請求項５、請求項６、請求項７のいずれかに記載の家具。
【発明の詳細な説明】
【０００１】
【発明の属する技術分野】
本発明は、少なくとも折り畳みベッドを備える家具、特にリビングルーム用の家具に関する。
【０００２】
【従来の技術】
押し入れ（戸棚など）にしまい込め得る折り畳みベッドは既に公知である。この種の折り畳み式のベッドは、基板の方向に弧を描くように開状態になり得る前面を有している。この前面の長さは本質的には横臥面の長さに対応している。その結果、この種の折り畳み式ベッドはかなり背高の構造のものになる。さらに弧を描くようにして開状態になる時の、ある特定の角度からは前面及び横臥面の全重量が押し入れを操作する人の上にかかってくるため、この種の折り畳み式ベッドの扱いは困難である。この種の折り畳み式ベッドはその横臥面が必要とされない場合には居住領域において十分な空間を得ることができるため、小さな居住領域のリビングルームにおいて用いられるのが好ましい。また、この種の折り畳み式ベッドはその横臥面が必要とされない場合にはあらゆる用途のための空間を可能にするため、ゲストルームにおいても好ましく用いられる。
【０００３】
【発明が解決しようとする課題】
しかしながら、この種の折り畳み式ベッドは前面が本質的には横臥面の全長さに対応するため、比較的広い空間を占めるという難点を有する。更なる欠点としては、この家具は一つの機能しか有さず、一般的に視覚的には魅力的でないという点がある。
【０００４】
本発明はいくつかの機能を併せ持ち、占有する空間が小さく、さらには魅力的な、感じのよいデザインを有する家具を提供するという目的に基づいている。
【０００５】
【課題を解決するための手段】
この目的は請求項１に記載の要素によって達成され得る。
【０００６】
本発明による家具は、１つのハウジングにおいて日常の用途に適う少なくとも二つの機能を併せ持つという利点を奏する。まず一つに、ハウジングには折り畳みベッドが設けられ、この家具はさらには簡単にデスクあるいはビューロー、バー、作業台、食料用サイドボードなどに変換され得る。また、この家具はその高さが低いことによって占有する空間が小さく、結果的には魅力的な、感じのよい全体的な印象を提供することもできる。閉状態においてこの家具の外観はたんすのようであり得る。この種の家具は例えば学生寮の部屋やゲストルームなどの小さな生活空間において用いられるのが好ましい。
【０００７】
本発明による有利な改良によれば、弧を描くようにして開状態になるハウジング上部がＬ字形カバーとして設計され、このＬ字形カバーの第１脚部が前面の一部を形成する。この家具の前面はしたがって外観上、上方の小さなセクションと下方の大きなセクションとに分割されることが可能であり、これにより前面が魅力的なデザインを有することを可能にする。
【０００８】
本発明によるさらに別の有利な改良によれば、ハウジング上部が設置される表面から見てハウジング上部がその周りを回動する第２回動軸の高さとＬ字形ハウジング上部の第１脚部の長さとが、ハウジング上部が好ましくは１８０°に亘って回動されると高さが６８ｃｍから８０ｃｍ、好ましくは７２ｃｍであるＬ字形ハウジング上部の第２脚部が平行になるように互いに調整される。これにより、ハウジング上部が、ハウジングの上に様々な方法によって関節で接合されることができ、よって異なる形状の選択を可能にし、Ｌ字形ハウジング上部の第２脚部が常に筆記台として理想的な高さに設けられ得る。水平回動軸の高さは、家具のハウジングの上に設けられ得るものであり、例えば好ましくは二つの部分でなる構造を持ち、一緒に折り畳むことのできる横臥面の長さとして機能することができる。
【０００９】
本発明によるさらに別の有利な改良によれば、第２回動軸のハウジングの設置面からの高さがスイングする横臥面の前面の長さに対応する高さよりも少なくとも上になるように設けられる。これにより折り畳みベッドはハウジング上部が閉じたままでも自由に弧を描くように開状態にされ得る。二つの部分を持つ構造の横臥面が前面の内側に固定されるようにしたことにより家具の全高さが低くなるという利点を奏する。
【００１０】
本発明によるさらに別の有利な改良によれば、全体の高さを低くするために横臥面の２つのセクションがダブルヒンジによって連結される。これにより、第２の弧を描くようにして開状態になるセクションが、横臥面のダブルヒンジによって、横臥面の第１セクションに対して本質的に平行な位置に向けて可動になるように設けられる。これにより折り畳みベッドの回動半径を小さくし得る。その理由は、回動行程において第２セクションが第１セクションに対して下方にオフセットして設けられ、それにより折り畳みベッドがより小さい回動半径において回動され開状態にされ得るためである。これにより全体の高さをさらに低くすることができ、その結果、この家具に多機能性を与え、さらにはその運搬を容易にすることが可能となる。
【００１１】
その他の請求項により、本発明の有利な展開及び改良点が特定される。
【００１２】
【発明の実施の形態】
以下の図面及び明細書において好適実施例について説明する。
【００１３】
図１乃至図４に、側面から見た少なくとも横臥面又はベッド、及び、筆記台又は机としての機能を有する多機能性押し入れ（戸棚など）としての本発明による家具１１が示されている。図２に閉状態にある家具１１の正面図が示されている。家具１１は左側壁１３、右側壁１４、後部壁１６、基板（ベース）１７、弧を描いて開状態になる前面１８及びハウジング上部１９からなるハウジング１２を有している。その上部領域において、ハウジング１２は、その中に折り畳みベッド２３を収納する内部空間２２を画定する中間壁２１を有している。折り畳みベッド２３の破線で示される図は内部空間２２内の収納位置を示す。内部空間２２の上方にはハウジング上部１９によって境界が形成される第２内部空間２６がある。
【００１４】
図２では、家具１１が使用中でない状態で示されている。使用者が机で作業をしたいと所望する場合には、図１の矢印Ａに沿ってハウジング上部１９を約１８０°回動し、図３に示されるビューローに変換することができる。
【００１５】
ハウジング上部１９は第１脚部２７を有し、それに対して第２脚部２８が直角に連結されている。約１８０°回動した後、第１脚部２７は第２脚部２８が水平又は若干下方に傾斜し、その状態において筆記台として機能するように接合部によって支えられる。その接合部は例えば前面１８であり得る。この領域において前面１８は支持表面が形成されるように平面的に設計されることが好ましい。あるいは接合部としての支持要素が設けてもよく、その支持要素は例えば前面１８にデザイン上の要素として一体的に形成することが可能である。ハウジング上部１９がその回りに弧を描くようにして開状態になる第２回動軸３１は側壁１３，１４に対して前面１８より前方にオフセットされるように配置され、これによってハウジング上部１９の第１脚部２７が前面１８に支えられるようになる。さらに、必ずしもＬ字形断面を有するとは限らないハウジング上部１９の形状に応じて、同様に第２脚部２８を本質的に水平な位置にすることが可能となるように、接合部を異なった方法において調節し得るように設けることも可能である。
【００１６】
第２脚部２８により形成される筆記台は、机の高さとして標準的寸法である７２ｃｍの高さに設けられることが好ましい。この筆記台の高さがこの値から逸脱することも可能であり、筆記台をより高くあるいは低くすることも可能である。第２脚部２８の高さを基板１７から７２ｃｍにするためには、ハウジング１２が設置される基板１７の下表面からの第２回動軸３１の高さとハウジング上部１９の第１脚部２７の長さとを互いに調整することが必要である。さらに、第２脚部２８を水平にするためにはハウジング上部１９の第１脚部２７の角度をも考慮することが必要である。
【００１７】
第１脚部２７及び第２脚部２８の間に角部補強３２を設けることは、発生する荷重に耐え得ることに役立つ。さらに、狭い側に沿って筆記台の側面側の境界を形成する帯体３３が設けられ得る。このような帯体は、特に一枚板の筆記台である場合には蟻継ぎガイドによって筆記台に連結することができるという利点を有する。これにより、その方向が帯体３３に対して直交することが好ましい一枚板のボードの強度がより高くなるという利点が奏される。さらに、ハウジング上部１９が、机として、弧を描くようにして開状態になった形で固定するための固定手段が設けられ得る。これはピン又はラッチ連結などによって実現され得る。
【００１８】
机を使った作業が終了した後、ハウジング上部１９は再び矢印Ａとは反対の方向に１８０°回動され得、その結果、第２内部空間２６が閉じられる。ハウジング上部１９のＬ字形設計により第２内部空間２６に十分に広い収納空間が残されるので、そこには、例えばコンピュータなどの技術的付属品などを設置することができる。ハウジング上部１９を閉状態に固定するためには、スナップインラッチ連結などを用いることも可能である。さらに、ハウジング上部１９の狭い側が側壁１３，１４とともに防塵仕切り６８を形成し得るように設ける。これは別の密閉要素を装備するかあるいは適当な互いに向かい合うハウジング上部１９の表面とハウジング１２の表面とを幾何学的形状にすることによって実現され得る。
【００１９】
本発明による家具１１の第２の機能は、折り畳みベッド２３によって実現される。折り畳みベッドは二つの部分あるいは複数の部分を持つ構造、好ましくは三の部分を持つ構造である。前面１８には折り畳みベッド２３を弧を描くようにして開状態にするためのハンドル３６が設けられる。前面１８は第１回動軸２４の回りを矢印Ｂの方向に沿って回動され水平位置になる。この時、内部空間２２内に位置される前面１８の端部は止め具３７に支えられ、その結果、横臥面の第１セクション３８がハウジング１２の頭部に対して水平になる。その後、折り畳みベッド２３の第２セクション３９が矢印Ｃに沿って１８０°弧を描くようにして開状態になり、平らな横臥面が形成される。第１及び第２セクション３８，３９はマットレス４１及び羽根板ベースを有するフレーム４２などを有する。後者はフレームの上に木製のスプリング帯体を有する連続的な羽根板ベースのスプリング構造として設計されることが好ましい。さらにこの羽根板ベースのスプリング構造は通気手段を有し得る。第２セクション３９の下方側に脚部４３が設けられ、これら脚部４３は共に弧を描いて開状態になったり収納されたりできるように筋交い４４によって互いに連結される。
【００２０】
折り畳みベッド２３の第１及び第２セクション３８，３９は互いにダブルヒンジ６４によって連結されている。ダブルヒンジ６４は折り畳みベッド２３の第１セクション３８の上に第１回転軸４７、また、第２セクション３９の上に第２回転軸４８を有するフランジとして設計されている。さらにフランジ上の右端部においてＵ字形溝４９が第１回転軸４７の右側に下側に向かって設けられており、この溝にボルト５１が係合することによって折り畳みベッド２３の第１セクション３８に対する第２セクション３９の回動動作が限定されている。ダブルヒンジ６４の回転軸４７，４８は、互いに向き合う第１及び第２セクション３８，３９の縁部が、矢印Ｃの方向へ又は反対方向へ回動する動作の際に互いにブロックしないような形でそれぞれ距離を置いて離されている。
【００２１】
さらに、図４に示されるようにダブルヒンジ６４は第２セクション３９が第１セクション３８に対して平行に変位され得るという利点を奏する。その結果、回動半径を小さく設計でき、家具１１の高さを最小限のものにし得る。例えば前面１８が図４において矢印Ｄの方向に回動される場合、第２セクション３９の下端部は基板１７の上にある。その結果、ハウジング上部１９の第２回動軸３１付近の上部領域には折り畳みベッド２３の第１及び第２セクション３８，３９が回動して収納され得るだけの十分な空間がある。終盤において折り畳みベッドの第１及び第２セクション３８，３９は図１に破線で示される位置にある。ここで、マットレス４１が二つの部分を有する構造であるがゆえに、ハウジング１２の高さをかなり低くでき、例えば高さ１１５ｃｍ、幅９０ｃｍ、奥行５０ｃｍの寸法を有し得る。この家具１１はこうしてビューローあるいはバーとして好ましく設置でき、さらには寝台としても用いられ得る。
【００２２】
さらに寝具類は家具１１の内部空間２２に収納され得る。さらに、例えば棚とランプを収納することも可能である。ハウジング１２の後壁部１６は目打ち付きの格子構造となっており、適度な通気が可能である。さらに、前面１８は例えば２つ又は３つの部分（パーツ）からなるため、内部空間２２内における空気循環を可能にする空気隙間を生じさせ得る。この空気循環によって人体によって生じる湿気がマットレスに吸収されてかび臭くなるのを防ぐことができる。ベッドの衛生がこうして実質的に改善され得る。
【００２３】
前面１８は、側壁１３，１４又は（図示されない）フレームに対して、公知であるヒンジ連結によって回動可能に取り付けられている。このフレームは側壁１３，１４に装着されるか、あるいは自らを支えるものであってもよい。
【００２４】
図５及び図６において第２回動軸３１のところに位置してハウジング上部１９を回動させるためのヒンジ連結５６の例が示されている。このヒンジ連結５６はピンプレートとして設計されており、ハウジング上部１９の第１脚部２７上のプレート５７にネジ止めされ、それに対して作用する。このプレート５７にはさらにピン５８が設けられ、これは側壁１３，１４の孔５９に係合し、回転可能に取り付けられる。このヒンジ連結５６によって組み立ての費用面が効率化されて省スペース構造を有するようになる。さらに第２回動軸３１の設計のための別のヒンジ連結を設けてもよい。
【００２５】
本発明の好ましい実施形態を次に列挙する。
【００２６】
（１）第２回動軸３１がハウジング１２の上端部に対して下方にオフセットされ、Ｌ字形ハウジング上部１９が約１８０°回動可能であり、好ましくは、弧を描くようにして開状態になるＬ字形ハウジング上部１９が接合部を支えるようになっている家具。
【００２７】
（２）基板１７からの第２回動軸３１の高さとハウジング上部１９の第１脚部２７の長さとが互いに調整されることによって、第２回動軸３１の基板１７からの高さは少なくとも弧を描くようにして開状態になる前面１８の長さより大きく、弧を描くようにして開状態になるハウジング上部１９の第２脚部２８が６５ｃｍから８０ｃｍの間の高さ、好ましくは７２ｃｍに設定され、好ましくは本質的に水平に設けられている家具。
【００２８】
（３）側面１３，１４と相互作用する左右の横支柱の上に第１回動軸（２４）が設けられる家具。
【００２９】
（４）前面１８は解除可能なロック手段６１によってハウジング１２に対して閉状態に設置され、このロック手段６１は反対方向への押圧力が付与された場合に前面１８に設けられるＵ字形のスプリング要素６３がパチンとはまるようなＬ字形の付属品６２を有し、ロック手段６１を作動させるためのへこみ部分６６が設けられるのが好ましく、その結果ロック手段６１の解除と弧を描くようにして前面１８を開状態にすることとを同時に行うことが可能になる家具（図２及び図６参照）。
【００３０】
（５）詰め物をした部分に平行にガイドされる格納式のスタンドが設けられ、そのスタンドは少なくとも４つの脚部を有し、連結横軸及び関節式ロッド７１によって一方側から格納され得る家具（図１参照）。
【００３１】
【発明の効果】
本発明によれば、いくつかの機能を併せ持ち、占有する空間が小さく、さらには魅力的な、感じのよいデザインを有する家具を提供するが可能になる。
【図面の簡単な説明】
【図１】  ベッド及びハウジング上部が弧を描くようにして開状態になされた本発明による家具の概略側面図である。
【図２】  閉状態にある家具の正面図である。
【図３】  ビューローとしての家具の斜視図である。
【図４】  折り畳みベッドとしての家具が弧を描くようにして開状態にある場合の概略側面図である。
【図５】  ハウジング上部のヒンジ連結の詳細図である。
【図６】  図１における細部Ｘの拡大図である。
【符号の説明】
１１ 家具
１２ ハウジング
１３，１４ 側壁
１７ 基板
１８ 前面
１９ ハウジング上部
２１ 中間壁
２２ 第１内部空間
２３ 折り畳みベッド
２４ 第１回動軸
２６ 第２内部空間
２７ 第１脚部
２８ 第２脚部
３１ 第２回動軸
３８ 第１セクション
３９ 第２セクション
４１ マットレス
４７ 第１回動軸
４８ 第２回動軸
４９ Ｕ字形の溝
５１ ボルト
５６ ヒンジ連結
５７ プレート
５８ ピン
５９ 孔
６１ ロック手段
６２ Ｌ字形の付属品
６３ スプリング要素
６４ ダブルヒンジ
６６ へこみ部分
７１ 連結式ロッド
【図１】
0004020501.tif 000002
【図２】
0004020501.tif 000003
【図３】
0004020501.tif 000004
【図４】
0004020501.tif 000005
【図５】
0004020501.tif 000006
【図６】
0004020501.tif 000007